(57)【要約】【課題】情報処理装置のバックアップ媒体の作成時間を短縮することが可能なバックアップ媒体作成システムおよびバックアップ媒体作成方法を提供する。【解決手段】動作制御部３２１は、バックアップ情報であるデータ３１１のファイル数を確認し、確認したファイル数を印刷制御部３２２と書込制御部３２３に出力し、さらにデータ３１１を印刷制御部３２２と書込制御部３２３に出力する。印刷制御部３２２は、ファイル数に応じた数のプリンタを選択し、選択したプリンタを用いてデータ３１１が有する装置情報に応じた情報を記録媒体に印刷する。装置情報に応じた情報が印刷された記録媒体はデータ書込機に移動する。書込制御部３２３は、記録媒体が移動してくるデータ書込機に対してデータ３１１が有するファイルのデータを出力する。記録媒体が移動してきたデータ書込機は、ファイルのデータであるバックアップ情報を記録媒体に記録する。【選択図】      図１
2005025329.tif 000002
【特許請求の範囲】
【請求項１】
情報処理装置のバックアップデータを入力する入力部と、
前記入力部に入力したバックアップデータに基づき、前記バックアップデータを記録するために必要となる記録媒体の数量を判定する判定部と、
前記判定部が判定した数量の記録媒体に前記バックアップデータを記録するバックアップデータ記録部と
を含むことを特徴とするバックアップ媒体作成システム。
【請求項２】
請求項１に記載のバックアップ媒体作成システムにおいて、
前記バックアップデータ記録部は、前記バックアップデータを記録するために必要となる記録媒体の数量が複数の場合、複数の記録媒体に対して並列に前記バックアップデータを記録することを特徴とするバックアップ媒体作成システム。
【請求項３】
請求項１または２に記載のバックアップ媒体作成システムにおいて、
前記入力部は、前記情報処理装置の識別情報をさらに入力し、
前記判定部が判定した数量の記録媒体に、前記入力部に入力した識別情報に応じた情報を記録する識別情報記録部をさらに含むことを特徴とするバックアップ媒体作成システム。
【請求項４】
請求項３に記載のバックアップ媒体作成システムにおいて、
前記識別情報記録部は、前記判定部が判定した数量の記録媒体に、前記識別情報に応じた情報を印刷することを特徴とするバックアップ媒体作成システム。
【請求項５】
請求項１ないし４のいずれかに記載のバックアップ媒体作成システムにおいて、前記情報処理装置は、中古パソコンであることを特徴とするバックアップ媒体作成システム。
【請求項６】
情報処理装置のバックアップデータを入力する第１のステップと、
前記第１のステップで入力したバックアップデータに基づき、前記バックアップデータを記録するために必要となる記録媒体の数量を判定する第２のステップと、
前記第２のステップで判定した数量の記録媒体に前記バックアップデータを記録する第３のステップと
を含むことを特徴とするバックアップ媒体作成方法。
【請求項７】
請求項６に記載のバックアップ媒体作成方法において、前記第３のステップは、前記バックアップデータを記録するために必要となる記録媒体の数量が複数の場合、複数の記録媒体に対して並列に前記バックアップデータを記録することを特徴とするバックアップ媒体作成方法。
【請求項８】
請求項６または７に記載のバックアップ媒体作成システムにおいて、
前記第１のステップは、前記情報処理装置の識別情報をさらに入力し、
前記第２のステップが判定した数量の記録媒体に、前記第１のステップで入力した識別情報に応じた情報を記録する第４のステップをさらに含むことを特徴とするバックアップ媒体作成方法。
【請求項９】
請求項８に記載のバックアップ媒体作成システムにおいて、
前記第４のステップは、前記第２のステップが判定した数量の記録媒体に、前記識別情報に応じた情報を印刷することを特徴とするバックアップ媒体作成方法。
【請求項１０】
請求項６ないし９のいずれかに記載のバックアップ媒体作成方法において、前記情報処理装置は、中古パソコンであることを特徴とするバックアップ媒体作成方法。
【請求項１１】
請求項６ないし１０のいずれかに記載されたバックアップ媒体作成方法をコンピュータに実行させるプログラムを記録してあることを特徴とするコンピュータが読み取り可能な記録媒体。
【請求項１２】
請求項６ないし１０のいずれかに記載されたバックアップ媒体作成方法をコンピュータに実行させるプログラム。
【発明の詳細な説明】
【０００１】
【発明の属する技術分野】
本発明は、バックアップ媒体作成システム、バックアップ媒体作成方法、記録媒体およびプログラムに関する。
【０００２】
【従来の技術】
近年、リサイクルの観点から、回収した中古のパソコンを再販するケースがある。また、回収した中古パソコンに所定のソフトなどのデータをインストールした形で再販する場合、中古パソコンにインストール済みのデータを記録したバックアップ媒体を、中古パソコンに添えて販売する場合がある。
【０００３】
なお、情報処理装置としてのパソコンのバックアップ媒体は、パソコンが有しているデータから作成する必要がある。また、パソコンのバックアップデータを、該バックアップデータを有するパソコンを用いて記録媒体に記録させる作業は、パソコンの機種または仕様によって多少異なる。
【０００４】
【発明が解決しようとする課題】
パソコンのバックアップ媒体は、パソコンが有しているデータから作成する必要があり、また、パソコンのバックアップデータを記録媒体に記録させる作業は、パソコンの機種および仕様によって多少異なる。
【０００５】
したがって、機種または仕様が互いに異なる複数台のパソコンのバックアップ媒体をパソコン毎に作成する場合、バックアップ媒体を作成する作業者が個々のパソコンを適宜操作しなければならなかった。
【０００６】
特に、複数の再販用中古パソコンのそれぞれに対応するバックアップ媒体を作成する場合、複数の再販用中古パソコンのそれぞれの機種または仕様は互いに異なる可能性が高いので、パソコンのバックアップデータを記録媒体に記録させる作業がそれぞれのパソコン毎に異なる可能性が高く、１人の作業者が個々のパソコンを適宜操作しなければならない。
【０００７】
したがって、バックアップ媒体の作成作業の効率が低くなり、バックアップ媒体の作成作業に多くの作業者が必要となり、バックアップ媒体の作成作業に多くの時間を費やすことになるという問題があった。
【０００８】
また、中古パソコンのそれぞれは、処理能力が互いに異なる可能性が高いため、処理能力が低い中古パソコンでバックアップ媒体を作成した場合、バックアップ媒体の作成作業に多くの時間が費やされてしまうという問題が生じる。
【０００９】
さらに、中古パソコンのそれぞれは、記録媒体にデータを書き込むデータ書込機の種類が異なる可能性が高いため、データ書込みの操作および制御も異なる可能性が高い。また、データ書込機の種類が異なると、データ書込機によって作成されるバックアップ媒体の品質も異なるため、均一の品質を有したバックアップ媒体を作成することが困難となる。
【００１０】
本発明の目的は、情報処理装置のバックアップ媒体の作成時間を短縮することが可能なバックアップ媒体作成システムおよびバックアップ媒体作成方法を提供することである。
【００１１】
また、本発明の他の目的は、情報処理装置のバックアップ媒体の作成時間を短縮することが可能であるとともにバックアップ媒体の品質を均一化することが可能なバックアップ媒体作成システムおよびバックアップ媒体作成方法を提供することである。
【００１２】
【課題を解決するための手段】
上記課題を解決するために、本発明のバックアップ媒体作成システムは、情報処理装置のバックアップデータを入力する入力部と、前記入力部に入力したバックアップデータに基づき、前記バックアップデータを記録するために必要となる記録媒体の数量を判定する判定部と、前記判定部が判定した数量の記録媒体に前記バックアップデータを記録するバックアップデータ記録部とを含むことを特徴とする。
【００１３】
上記の発明によれば、入力したバックアップデータに基づき、バックアップデータを記録するために必要となる記録媒体の数量を判定し、判定した数量の記録媒体にバックアップデータを記録するので、情報処理装置のバックアップデータを必要な数量の記録媒体に自動的に記録することが可能となり、従来のように、バックアップ媒体を作成する際に、作業者が各パソコンを操作してバックアップデータを記録媒体に記録する必要がなくなる。
【００１４】
また、例えば、複数の中古パソコンのように互いに機種または仕様が異なる可能性が高い情報処理装置のバックアップ媒体を作成するバックアップ媒体作成システムとして上記の発明を用いた場合、バックアップデータの記録媒体への記録速度がバックアップデータ記録部に依存し、バックアップデータの記録媒体への記録速度が個々の中古パソコンの性能に依存しなくなるので、バックアップ媒体を作成する作業効率を改善することが可能となり、バックアップ媒体の作成時間の短縮が図れる。
【００１５】
また、複数の情報処理装置のそれぞれのバックアップ媒体を、バックアップデータ記録部で生成することが可能となるため、バックアップ媒体の作成場所を１ケ所に集中させることが可能となり、バックアップ媒体を作成する作業者の動きを少なくでき、バックアップ媒体の作成作業の効率を向上することができる。
【００１６】
また、複数の情報処理装置のそれぞれのバックアップ媒体を、バックアップデータ記録部で生成することが可能となるため、バックアップ媒体の品質が、複数の情報処理装置のそれぞれが有するデータ書込機の性能に依存せずに、バックアップデータ記録部の性能に依存するので、品質の均一したバックアップ媒体を作成することが可能となる。
【００１７】
また、バックアップ媒体を作成する機能を持たないパソコンのバックアップ媒体を作成することが可能となる。
【００１８】
また、本発明のバックアップ媒体作成システムは、前記バックアップデータ記録部が、前記バックアップデータを記録するために必要となる記録媒体の数量が複数の場合、複数の記録媒体に対して並列に前記バックアップデータを記録することを特徴とする。
【００１９】
上記の発明によれば、バックアップデータを記録するために必要となる記録媒体の数量が複数の場合、複数の記録媒体に対して並列にバックアップデータを記録するので、バックアップデータの記録時間を短くすることが可能となる。
【００２０】
また、本発明のバックアップ媒体作成システムは、前記入力部が、前記情報処理装置の識別情報をさらに入力し、前記判定部が判定した数量の記録媒体に、前記入力部に入力した識別情報に応じた情報を記録する識別情報記録部をさらに含むことを特徴とする。
【００２１】
上記の発明によれば、入力部が情報処理装置の識別情報をさらに入力し、識別情報記録部が、判定部が判定した数量の記録媒体に、入力部に入力した識別情報に応じた情報を記録するので、識別情報に応じた情報を確認することにより、作成されたバックアップ媒体がどの情報処理装置に対応するものであるかを確認することが可能となる。
【００２２】
また、本発明のバックアップ媒体作成システムは、前記識別情報記録部が、前記判定部が判定した数量の記録媒体に、前記識別情報に応じた情報を印刷することを特徴とする。
【００２３】
上記の発明によれば、識別情報記録部が、判定部が判定した数量の記録媒体に、識別情報に応じた情報を印刷するので、作成されたバックアップ媒体がどの情報処理装置に対応するものであるかを作業者が確認しやすくなる。
【００２４】
本発明のバックアップ媒体作成システムは、前記情報処理装置が、中古パソコンであることが望ましい。
【００２５】
上記の発明によれば、バックアップデータの記録媒体への記録速度がバックアップデータ記録部に依存し、バックアップデータの記録媒体への記録速度が個々の中古パソコンの性能に依存しなくなるので、バックアップ媒体を作成する作業効率が良くなり、バックアップ媒体の作成時間の短縮が図れる。
【００２６】
また、複数の中古パソコンのそれぞれのバックアップ媒体を、バックアップデータ記録部で生成することが可能となるため、バックアップ媒体の品質が、複数の中古パソコンのそれぞれが有するデータ書込機の性能に依存せずに、バックアップデータ記録部の性能に依存するので、品質の均一したバックアップ媒体を作成することが可能となる。
【００２７】
本発明のバックアップ媒体作成方法は、情報処理装置のバックアップデータを入力する第１のステップと、前記第１のステップで入力したバックアップデータに基づき、前記バックアップデータを記録するために必要となる記録媒体の数量を判定する第２のステップと、前記第２のステップで判定した数量の記録媒体に前記バックアップデータを記録する第３のステップとを含むことを特徴とする。
【００２８】
上記の発明によれば、入力したバックアップデータに基づき、バックアップデータを記録するために必要となる記録媒体の数量を判定し、判定した数量の記録媒体にバックアップデータを記録するので、情報処理装置のバックアップデータを必要な数量の記録媒体に自動的に記録することが可能となり、従来のように、バックアップ媒体を作成する際に、作業者が各パソコンを操作してバックアップデータを記録媒体に記録する必要がなくなる。
【００２９】
また、例えば、複数の中古パソコンのように互いに機種または仕様が異なる可能性が高い情報処理装置のバックアップ媒体を作成する方法として上記の発明を用いた場合、バックアップデータの記録媒体への記録速度が個々の中古パソコンの性能に依存しなくなるので、バックアップ媒体を作成する作業効率が良くなり、バックアップ媒体の作成時間の短縮が図れる。
【００３０】
また、複数の情報処理装置のそれぞれのバックアップ媒体を生成することが可能となるため、バックアップ媒体の作成場所を１ケ所に集中させることが可能となり、作業者の動きを少なくでき、バックアップ媒体の作成作業の効率を向上することができる。
【００３１】
また、複数の情報処理装置のそれぞれのバックアップデータを記録媒体に記録する際、該バックアップデータを所定の記録方法で記録媒体にすることが可能となるため、品質の均一したバックアップ媒体を作成することが可能となる。
【００３２】
また、バックアップ媒体を作成する機能を持たないパソコンのバックアップ媒体を作成することが可能となる。
【００３３】
また、本発明のバックアップ媒体作成方法は、前記第３のステップが、前記バックアップデータを記録するために必要となる記録媒体の数量が複数の場合、複数の記録媒体に対して並列に前記バックアップデータを記録することを特徴とする。
【００３４】
上記の発明によれば、バックアップデータを記録するために必要となる記録媒体の数量が複数の場合、複数の記録媒体に対して並列にバックアップデータを記録するので、バックアップデータの記録時間を短くすることが可能となる。
【００３５】
また、本発明のバックアップ媒体作成方法は、前記第１のステップが、前記情報処理装置の識別情報をさらに入力し、前記第２のステップが判定した数量の記録媒体に、前記第１のステップで入力した識別情報に応じた情報を記録する第４のステップをさらに含むことを特徴とする。
【００３６】
上記の発明によれば、第１のステップで情報処理装置の識別情報をさらに入力し、第２のステップで判定した数量の記録媒体に、入力した識別情報に応じた情報を第４のステップで記録するので、識別情報に応じた情報を確認することにより、作成されたバックアップ媒体がどの情報処理装置に対応するものであるかを確認することが可能となる。
【００３７】
また、本発明のバックアップ媒体作成方法は、前記第４のステップが、前記第２のステップが判定した数量の記録媒体に、前記識別情報に応じた情報を印刷することを特徴とする。
【００３８】
上記の発明によれば、第２のステップで判定した数量の記録媒体に、識別情報に応じた情報を印刷するので、作成されたバックアップ媒体がどの情報処理装置に対応するものであるかを作業者が確認しやすくなる。
【００３９】
また、本発明のバックアップ媒体作成方法は、前記情報処理装置が、中古パソコンであることを特徴とする。
【００４０】
上記の発明によれば、バックアップデータの記録媒体への記録速度が個々の中古パソコンの性能に依存しなくなるので、バックアップ媒体を作成する作業効率が良くなり、バックアップ媒体の作成時間の短縮が図れる。
【００４１】
また、複数の中古パソコンのそれぞれのバックアップデータを記録媒体に記録する際に、該バックアップデータの記録を共通の記録方式で行うことが可能となり、品質の均一したバックアップ媒体を作成することが可能となる。
【００４２】
【発明の実施の形態】
以下、本発明の実施の形態を図面に示す一実施例に基づき説明する。
【００４３】
図１は、本発明の一実施例のバックアップ媒体作成システムを示したブロック図である。
【００４４】
図１において、本発明の一実施例のバックアップ媒体作成システムは、情報処理装置としてのパソコン１およびパソコン２と、サーバ３と、通信ネットワーク４と、プリンタ装置５と、データ書込み装置６とを含む。なお、本発明の一実施例のバックアップ媒体作成システムは、サーバ３と、プリンタ装置５と、データ書込み装置６とを含むものでもよい。
【００４５】
パソコン１は、バックアップ媒体を作成したいパソコンであり、例えば再販予定の中古パソコンで、装置情報格納部１１とハードディスク（以下「ＨＤＤ」と称する。）１２とを含む。
【００４６】
装置情報格納部１１は、パソコン１の識別情報としての装置情報（例えば、パソコン１の型番またはパソコン１のシリアル番号などであり、これらはＤＭＩ（デスクトップマネージメントインターフェース）情報としてパソコン１内に存在する）を格納している。
【００４７】
ＨＤＤ１２は、パソコン１にインストール済みのソフトウエアおよびデータとが格納されている。また、ＨＤＤ１２には、パソコン１のバックアップ情報が格納される。
【００４８】
パソコン１のバックアップ情報は、装置情報格納部１１に格納されている装置情報を含み、さらに、ＨＤＤ１２にインストール済みのソフトウエアおよびデータとのバックアップデータ、すなわちパソコン１のバックアップデータを含む。なお、パソコン１のバックアップ情報は、ファイル化されている。
【００４９】
パソコン１は、ＨＤＤ１２に格納されているバックアップ情報を、通信ネットワーク４を介してサーバ３に送信する。
【００５０】
パソコン２は、バックアップ媒体を作成したいパソコンであり、例えば再販予定の中古パソコンで、装置情報格納部２１とハードディスク（以下「ＨＤＤ」と称する。）２２とを含む。
【００５１】
装置情報格納部２１は、パソコン２の識別情報としての装置情報（例えば、パソコン２の型番またはパソコン２のシリアル番号などであり、これらはＤＭＩ（デスクトップマネージメントインターフェース）情報としてパソコン２内に存在する）を格納している。
【００５２】
ＨＤＤ２２は、パソコン２にインストール済みのソフトウエアおよびデータとが格納されている。また、ＨＤＤ２２には、パソコン２のバックアップ情報が格納される。
【００５３】
パソコン２のバックアップ情報は、装置情報格納部２１に格納されている装置情報を含み、さらに、ＨＤＤ２２にインストール済みのソフトウエアおよびデータとのバックアップデータ、すなわちパソコン２のバックアップデータを含む。なお、パソコン２のバックアップ情報は、ファイル化されている。
【００５４】
パソコン２は、ＨＤＤ２２に格納されているバックアップ情報を、通信ネットワーク４を介してサーバ３に出力する。
【００５５】
サーバ３は、入力部３０と、ハードディスク（以下「ＨＤＤ」と称する。）３１と、制御部３２とを含む。
【００５６】
入力部３０は、通信ネットワーク４を介して入力するパソコン１のバックアップ情報と通信ネットワーク４を介して入力するパソコン２のバックアップ情報とを入力する。
【００５７】
ＨＤＤ３１は、入力部３０から入力するパソコン１のバックアップ情報と、入力部３０から入力するパソコン２のバックアップ情報とを格納する。なお、図１において、ＨＤＤ３１に格納されているデータ３１１は、パソコン１のバックアップ情報であり、ＨＤＤ３１に格納されているデータ３１２は、パソコン２のバックアップ情報である。
【００５８】
判定部としての制御部３２は、動作制御部３２１と、印刷制御部３２２と、書込制御部３２３とを含む。
【００５９】
制御部３２は、入力部３０に入力したバックアップ情報、具体的にはバックアップデータに基づき、バックアップ情報（例えば、バックアップデータ）を記録するために必要となる記録媒体の数量を判定し、判定した記録媒体の数量に基づき、プリンタ装置５およびデータ書込み装置６を制御して、バックアップ媒体を生成させる。
【００６０】
具体的には、動作制御部３２１は、ＨＤＤ３１に格納したバックアップ情報、具体的にはバックアップデータに基づき、バックアップ情報（例えば、バックアップデータ）を記録するために必要となる記録媒体の数量を判定し、判定した記録媒体の数量を示す数量情報とＨＤＤ３１にデータとして格納してあるバックアップ情報とを印刷制御部３２２および書込制御部３２３に出力する。
【００６１】
印刷制御部３２２は、動作制御部３２１からの出力に基づき、プリンタ装置５を制御する。
【００６２】
識別情報記録部としてのプリンタ装置５は、印刷制御部３２２の制御に基づき、バックアップ情報（例えば、バックアップデータ）を記録するために必要となる数量の記録媒体に、バックアップ情報に含まれている装置情報に応じた情報を印刷する。
【００６３】
本実施例では、プリンタ装置５は複数のプリンタを構成するプリンタ５１、５２および５３を含み、バックアップ情報を記録するために必要となる記録媒体の数量が複数の場合、複数の記録媒体に対して並列に装置情報に応じた情報を印刷する。なお、複数の記録媒体に対して並列に装置情報に応じた情報を印刷するとは、複数の記録媒体に対して同時に装置情報に応じた情報を印刷することを含む。
【００６４】
書込制御部３２３は、動作制御部３２１からの出力に基づき、データ書込み装置６を制御する。
【００６５】
バックアップデータ記録部および識別情報記録部としてのデータ書込み装置６は、書込制御部３２３の制御に基づき、バックアップ情報（例えば、バックアップデータ）を記録するために必要となる数量の記録媒体にバックアップ情報を記録する。
【００６６】
本実施例では、データ書込み装置６は複数のデータ書込機を構成するデータ書込機６１、６２および６３を含み、バックアップ情報（例えば、バックアップデータ）を記録するために必要となる記録媒体の数量が複数の場合、複数の記録媒体に対して並列にバックアップ情報を記録する。なお、複数の記録媒体に対して並列にバックアップ情報を記録するとは、複数の記録媒体に対して同時にバックアップ情報を記録することを含む。
【００６７】
記録媒体７１には、プリンタ５１によって装置情報に応じた情報が印刷され、データ書込機６１によってバックアップデータを含むバックアップ情報が記録される。記録媒体７２には、プリンタ５２によって装置情報に応じた情報が印刷され、データ書込機６２によってバックアップデータを含むバックアップ情報が記録される。記録媒体７３には、プリンタ５３によって装置情報に応じた情報が印刷され、データ書込機６３によってバックアップデータを含むバックアップ情報が記録される。
【００６８】
図２は、図１に示したパソコンがバックアップ情報を生成し、生成したバックアップ情報をサーバ３に送信する動作を説明するためのフローチャートである。
【００６９】
以下、図２を参照して、パソコンがバックアップ情報を生成し、生成したバックアップ情報をサーバ３に送信する動作を説明する。なお、以下の説明では、バックアップ情報を生成するパソコンをパソコン１とした場合の動作を説明するが、バックアップ情報を生成するパソコンはパソコン１に限るものではなく、バックアップ媒体を作成予定のパソコンであればよい。
【００７０】
パソコン１のデータ読取り部（図示せず。）に、起動用ＯＳ（オペレーティングシステム）とバックアップ情報を作成するソフトウエア（プログラム）とを格納しているバックアップ情報生成用記録媒体（例えばＣＤ−ＲＯＭ）を挿入する（ステップ２ａ）。
【００７１】
パソコン１をＬＡＮケーブル等のケーブルで通信ネットワーク４につなぎ、パソコン１の電源を投入する（ステップ２ｂ）。
【００７２】
電源投入により、パソコン１は、バックアップ情報生成用記録媒体に格納してある起動用ＯＳを立ち上げ、装置情報格納部１１に格納してある装置情報とＨＤＤ１２に格納してあるソフトウエアおよびデータとを含むバックアップ情報を作成するソフトウエアを実行し、バックアップ情報を作成する（ステップ２ｃ）。
【００７３】
ステップ２ｃで作成されたバックアップ情報は、バックアップ情報１２ａとして一旦ＨＤＤ１２に格納される（ステップ２ｄ）。
【００７４】
ここで、ステップ２ｃの動作の詳細を説明する。
【００７５】
ＨＤＤ１２に格納されるバックアップ情報１２ａは、ＨＤＤ１２のディスクイメージをファイル化したバックアップデータすなわちパソコン１のバックアップデータと、パソコン１の装置情報と、再インストールプログラムとを含む。
【００７６】
パソコン１は、バックアップ情報１２ａを作成する際、バックアップ情報１２ａを格納するバックアップ媒体の容量に応じて、バックアップ情報１２ａを分割し、バックアップ情報１２ａをファイル化しておく。
【００７７】
例えば、ＨＤＤ１２のディスクイメージのデータ量すなわちパソコン１のバックアップデータのデータ量が９００ＭＢであり、バックアップ媒体（本実施例では記録媒体７１〜７３）の容量が６４０ＭＢであったならば、バックアップ情報１２ａは２つのファイルに分割されてＨＤＤ１２に格納される。
【００７８】
なお、本実施例では、バックアップ情報１２ａの各ファイルには、１から始まる通し番号がついたファイル名を附してある。
【００７９】
また、バックアップ情報１２ａの分割ファイル数は、バックアップ媒体にバックアップデータだけではなく、パソコンの装置情報と再インストールプログラムとを書き込むことを想定して、バックアップ媒体にある程度の空き容量ができるように算出することが望ましい。
【００８０】
また、バックアップデータは、ＨＤＤ１２に専用のバックアップファイルがあれば、それをコピーしたものとしてもよい。
【００８１】
また、バックアップ情報１２ａに含まれる装置情報は、改竄防止のため、装置情報に特定のキーワード等の情報を付加した後に暗号化したファイルとしておく。
【００８２】
次に、パソコン１を再起動し（ステップ２ｅ）、パソコン１のＨＤＤ１２に格納されているＯＳを立ち上げ、ＨＤＤ１２に格納したバックアップ情報１２ａを、通信ネットワーク４経由でサーバ３に転送する（ステップ２ｆ）。
【００８３】
サーバ３は、通信ネットワーク４を介して入力部３０に入力したバックアップ情報１２ａを、ファイルのデータ３１１としてＨＤＤ３１に格納する。
【００８４】
なお、ステップ２ｅで、パソコン１を再起動するのは、パソコン１が、ＨＤＤ１２に格納されたバックアップ情報１２ａを確実に認識するためであるのと、パソコン１が有しているＯＳを利用してネットワーク接続するためである。
【００８５】
パソコン１は、ＨＤＤ１２に格納したバックアップ情報１２ａを、通信ネットワーク４経由でサーバ３に転送した後、ＨＤＤ１２に格納したバックアップ情報１２ａを削除し（ステップ２ｇ）、動作を終了する。
【００８６】
パソコン２も、パソコン１と同様な動作、具体的には図２に示した動作を行い、パソコン２のバックアップ情報２２ａが、通信ネットワーク４経由でサーバ３に転送され、サーバ３は、通信ネットワーク４を介して入力部３０に入力したバックアップ情報２２ａをファイルのデータ３１２としてＨＤＤ３１に格納する。
【００８７】
図３は、サーバ３と、プリンタ装置５と、データ書込み装置６との動作を説明するためのフローチャートである。
【００８８】
以下、図３を参照して、サーバ３と、プリンタ装置５と、データ書込み装置６との動作を説明する。
【００８９】
サーバ３内の動作制御部３２１は、ＨＤＤ３１に格納されているデータ３１１のファイル数を確認し（ステップ３ａ）、確認したファイル数を印刷制御部３２２および書込制御部３２３に出力する。なお、動作制御部３２１が確認したファイル数がバックアップ情報、さらに言えばバックアップデータを記録するために必要となる記録媒体の数量となる。
【００９０】
動作制御部３２１は、さらに、データ３１１を印刷制御部３２２および書込制御部３２３に出力する。
【００９１】
印刷制御部３２２は、動作制御部３２１から出力されたファイル数に応じた数のプリンタを、プリンタ５１とプリンタ５２とプリンタ５３との中から選択する（ステップ３ｂ）。
【００９２】
なお、本実施例では、プリンタの選択の優先順位は、プリンタ５１が最も高く、次にプリンタ５２、最後にプリンタ５３となるように設定してある。
【００９３】
したがって、動作制御部３２１から出力されたファイル数が「１」のときはプリンタ５１が選択され、該ファイル数が「２」のときはプリンタ５１とプリンタ５２とが選択され、該ファイル数が「３」のときはプリンタ５１とプリンタ５２とプリンタ５３とが選択される。
【００９４】
印刷制御部３２２は、選択したプリンタを用いて、動作制御部３２１から出力されたファイル数に応じた数の記録媒体に、データ３１１が有する装置情報に応じた情報を印刷する（ステップ３ｃ）。データ３１１が有する装置情報に応じた情報が、バックアップ情報を記録する記録媒体に印刷されるので、作成されたバックアップ媒体（記録媒体）がどの情報処理装置に対応するものであるかを作業者が確認しやすくなる。
【００９５】
なお、ステップ３ｃの印刷は、複数のプリンタが同時に行う（並列印刷）。よって、装置情報に応じた情報を記録媒体に記録する時間を短縮することが可能となる。
【００９６】
本実施例では、データ３１１がパソコン１のバックアップ情報であるので、例えばデータ３１１が２つのファイルで構成されている場合、プリンタ装置５は、識別情報に応じた情報を記録媒体に記録する際、プリンタ５１で記録媒体７１に「装置情報（パソコン１）（１／２）」を印刷し、プリンタ５２で記録媒体７２に「装置情報（パソコン１）（２／２）」を印刷する。
【００９７】
なお、「装置情報（パソコン１）（１／２）」と「装置情報（パソコン１）（２／２）」とがともに、パソコン１の識別情報に応じた情報となる。
【００９８】
プリンタ５１で印刷が終了した記録媒体７１はデータ書込機６１に移動され、プリンタ５２で印刷が終了した記録媒体７２はデータ書込機６２に移動され、プリンタ５３で印刷が終了した記録媒体７３はデータ書込機６３に移動される（ステップ３ｄ）。なお、記録媒体のプリンタ装置５からデータ書込み装置６への移動は、記録媒体搬送装置を用いて自動的に行ってもよいし、手動で行ってもよい。
【００９９】
書込制御部３２３は、記録媒体が移動してくるデータ書込機に対してデータ３１１が有するファイルのいずれか１つを出力する。
【０１００】
なお、データ３１１が有する各ファイルは、記録媒体が移動してくるデータ書込機に対して必ず１度だけ出力される。本実施例では、ファイル名に附してある通し番号が１、４、７・・・のファイルはデータ書込機６１に出力され、ファイル名に附してある通し番号が２、５、８・・・のファイルは、データ書込機６２に出力され、ファイル名に附してある通し番号が３、６、９・・・のファイルは、データ書込機６３に出力される。
【０１０１】
記録媒体が移動してきたデータ書込機は、書込制御部３２３から出力されるパソコン１のバックアップデータを含むバックアップ情報のファイルを記録媒体に記録する（ステップ３ｅ）。
【０１０２】
ステップ３ｅの書込みの際、複数のデータ書込機にパソコン１のバックアップ情報のファイルが供給されると、バックアップ情報のファイルが供給された複数のデータ書込機は、バックアップ情報、さらに言えばバックアップデータを記録媒体に同時に記録する（並列記録）。よって、バックアップ情報、さらに言えばバックアップデータを記録媒体に記録する時間を短縮することが可能となる。
【０１０３】
データ書込機による記録媒体へのパソコン１のバックアップ情報の記録が終了すると、パソコン１用のバックアップ媒体（パソコン１のバックアップ情報が記録された記録媒体）の作成が終了する。
【０１０４】
なお、バックアップ媒体に記録されたバックアップ情報は、ＨＤＤ３１から削除することが好ましい。この場合、バックアップデータの氾濫を避けることが可能となる。
【０１０５】
また、バックアップ媒体を作成しようとするパソコンが中古のパソコンである場合、バックアップ媒体に記録されたバックアップ情報を、ＨＤＤ３１から削除することが特に好ましい。
【０１０６】
その理由は、バックアップ媒体を作成しようとするパソコンが中古のパソコンである場合、ＨＤＤ３１に格納されているバックアップ情報を再利用する機会がほとんど無いと考えられ、バックアップ媒体に記録されたバックアップ情報をＨＤＤ３１に残しておく必要性が乏しいからである。
【０１０７】
パソコン１用のバックアップ媒体の作成が終了すると、動作制御部３２１は、パソコン１のバックアップ情報の次に記憶されているパソコン２のバックアップ情報であるデータ３１２に対するバックアップ媒体を、上記と同様に作成する。
【０１０８】
本実施例によれば、記録媒体にバックアップ情報を記録する複数のデータ書込機として、同じ種類のデータ書込機を使用することができるため、共通の書込制御部で複数のデータ書込機を制御することが可能となる。
【０１０９】
また、本実施例は、入力したバックアップ情報に基づき、バックアップ情報を記録するために必要となる記録媒体の数量を判定し、判定した数量の記録媒体にバックアップ情報を記録するので、情報処理装置のバックアップデータを必要な数量の記録媒体に自動的に記録することが可能となり、従来のように、バックアップ媒体を作成する際に、作業者が各パソコンを操作してバックアップデータを記録媒体に記録する必要がなくなる。
【０１１０】
また、バックアップ媒体を作成したいパソコンとして、再販予定の中古パソコンを用いた場合、バックアップ情報の記録媒体への記録速度がデータ書込み装置６の書込み速度に依存し、バックアップ情報の記録媒体への記録速度が個々の中古パソコンの性能に依存しなくなるので、バックアップ媒体を作成する作業効率が良くなり、バックアップ媒体の作成時間の短縮が図れる。
【０１１１】
また、バックアップ媒体を作成しようとするパソコン（例えば、中古パソコン）よりデータの書込み速度が速いデータ書込み装置６を用いれば、バックアップ媒体の作成時間の短縮が図れる。
【０１１２】
また、複数のパソコンのそれぞれのバックアップデータの記録媒体への書込みを、データ書込み装置６で行うことが可能となるため、バックアップ媒体の品質が、複数のパソコンのそれぞれが有するデータ書込機の性能に依存せずに、データ書込み装置６の性能に依存するので、品質の均一したバックアップ媒体を作成することが可能となる。
【０１１３】
また、バックアップ媒体を作成する機能を持たないパソコンのバックアップ媒体を作成することが可能となる。
【０１１４】
また、サーバ３は、コンピュータ読み取り可能な記録媒体としてのメモリとコンピュータとしてのＣＰＵとにより構成されるものでもよい。この場合、サーバの構成要素となるメモリには、サーバ３が実行するおよびサーバ３が実行させる上述したバックアップ媒体作成方法をＣＰＵに実行させるプログラムが記録され、サーバ３の構成要素となるＣＰＵは、メモリに記録されたプログラムを読み取り、読み取ったプログラムに従って上述したバックアップ媒体作成方法を実行する。
【０１１５】
また、サーバ３の構成要素となるメモリに記録されたプログラムは、光ディスク等のコンピュータ読み取り可能な記録媒体に記録されていてもよい。この場合、光ディスク等の記録媒体に記録されたプログラムを読取り装置で読み取り、読み取ったプログラムをサーバ３の構成要素となるメモリに記録することにより、サーバ３が実行するおよびサーバ３が実行させる上述したバックアップ媒体作成方法をサーバ３の構成要素となるＣＰＵが実行可能となる。
【０１１６】
なお、本実施例では、プリンタとデータ書込機が別構成になっているが、これらを１つの装置としてまとめてもよい。例えば、記録媒体への識別情報に応じた情報の印刷と、記録媒体へのバックアップ情報の記録とを同時に行う装置を用いれば、さらに、作業効率をあげることが可能となる。
【０１１７】
また、本実施例では、サーバ３に接続するパソコンの数を２台としたが、サーバ３に接続するパソコンの数は２台に限るものではなく、適宜変更可能である。
【０１１８】
また、本実施例では、プリンタの台数を３台としているが、プリンタの台数は３台に限るものではなく、適宜変更可能である。
【０１１９】
また、本実施例では、データ書込機の台数を３台としているが、データ書込機の台数は３台に限るものではなく、適宜変更可能である。
【０１２０】
また、本実施例では、バックアップ情報を記録するために必要となる記録媒体の数量が、サーバ３に接続されたプリンタの台数よりも少ない場合の例を示したが、バックアップ情報を記録するために必要となる記録媒体の数量が、プリンタの台数よりも多くてもよい。この場合、１台のプリンタで識別情報に応じた情報を複数回印刷するようにすればよい。
【０１２１】
また、バックアップ情報を記録するために必要となる記録媒体の数量が、データ書込機の台数よりも多くてもよい。この場合、１台のデータ書込機でバックアップ情報の異なるファイルを記録媒体に書き込むようにすればよい。
【０１２２】
また、本実施例では、プリンタの台数とデータ書込機の台数とを同じ台数としたが、プリンタの台数とデータ書込機の台数とを異なるようにしてもよい。
【０１２３】
また、本実施例では、パソコンのＨＤＤ内のデータ（情報）に対するバックアップ媒体を作成しているが、バックアップ情報の対象となるデータは、必ずしもパソコンのＨＤＤに存在する必要はなく、パソコン内のメモリなどの半導体記憶装置やパソコン内のＨＤＤ以外の磁気記憶装置などの一般的な記憶装置であってもよい。
【０１２４】
また、本実施例では、パソコンのバックアップ情報をサーバのＨＤＤに転送しているが、バックアップ情報の転送先は必ずしもサーバのＨＤＤである必要はなく、サーバ内のメモリなどの半導体記憶装置やサーバ内のＨＤＤ以外の磁気記憶装置などの一般的な記憶装置であってもよい。
【０１２５】
また、本実施例では、パソコンの装置情報がパソコンのＨＤＤと異なる場所に存在する例を示したが、パソコンの装置情報がパソコンのＨＤＤ内に存在していても、パソコンの装置情報がパソコンのＨＤＤ内のデータの中に存在していてもよい。
【０１２６】
また、本実施例では、バックアップ媒体にパソコンの装置情報を記録しているので、バックアップ媒体によるバックアップをパソコンで実行する際、バックアップを実行するパソコンの装置情報とバックアップ媒体に記録された装置情報を比較し、その比較結果が一致した場合のみ、バックアップ媒体を用いたバックアップを実行可能とすることが可能になる。よって、バックアップ媒体を使用した不正コピーを防止可能となる。
【０１２７】
なお、この場合、バックアップを実行予定のパソコンの装置情報とバックアップ媒体に記録された装置情報とを、バックアップを実行予定のパソコンに比較させ、その比較結果が一致した場合のみ、バックアップ媒体を用いたバックアップを、バックアップを実行予定のパソコンに実行させる動作プログラムを、バックアップ媒体に格納してもよい。
【０１２８】
以上説明した実施例において、図示した構成は単なる一例であって、本発明はその構成に限定されるものではない。
【０１２９】
【発明の効果】
本発明によれば、入力したバックアップデータに基づき、バックアップデータを記録するために必要となる記録媒体の数量を判定し、判定した数量の記録媒体にバックアップデータを記録するので、情報処理装置のバックアップデータを必要な数量の記録媒体に自動的に記録することが可能となり、従来のように、バックアップ媒体を作成する際に、作業者が各パソコンを操作してバックアップデータを記録媒体に記録する必要がなくなる。
【０１３０】
また、例えば、複数の中古パソコンのように互いに機種または仕様が異なる可能性が高い情報処理装置のバックアップ媒体を作成するバックアップ媒体作成システムとして上記の発明を用いた場合、バックアップデータの記録媒体への記録速度がバックアップデータ記録部に依存し、バックアップデータの記録媒体への記録速度が個々の中古パソコンの性能に依存しなくなるので、バックアップ媒体を作成する作業効率が良くなり、バックアップ媒体の作成時間の短縮が図れる。
【０１３１】
また、複数の情報処理装置のそれぞれのバックアップ媒体を、バックアップデータ記録部で生成することが可能となるため、バックアップ媒体の作成場所を１ケ所に集中させることが可能となり、作業者の動きを少なくでき、作業効率をあげることができる。
【０１３２】
また、複数の情報処理装置のそれぞれのバックアップ媒体を、バックアップデータ記録部で生成することが可能となるため、品質の均一したバックアップ媒体を作成することが可能となる。
【０１３３】
また、バックアップ媒体を作成する機能を持たないパソコンのバックアップ媒体を作成することが可能となる。
【図面の簡単な説明】
【図１】本発明の本発明の一実施例のバックアップ媒体作成システムを示したブロック図である。
【図２】図１の動作を説明するためのフローチャートである。
【図３】図１の動作を説明するためのフローチャートである。
【符号の説明】
１      パソコン
１１    装置情報格納部
１２    ＨＤＤ
１２ａ  バックアップ情報
２      パソコン
２１    装置情報格納部
２２    ＨＤＤ
２２ａ  バックアップ情報
３      サーバ
３０    入力部
３１    ＨＤＤ
３１１  データ
３１２  データ
３２    制御部
３２１  動作制御部
３２２  印刷制御部
３２３  書込制御部
４      通信ネットワーク
５      プリンタ装置
５１    プリンタ
５２    プリンタ
５３    プリンタ
６      データ書込み装置
６１    データ書込機
６２    データ書込機
６３    データ書込機
７１    記録媒体
７２    記録媒体
７３    記録媒体
【図１】
2005025329.tif 000003
【図２】
2005025329.tif 000004
【図３】
2005025329.tif 000005